(57)【要約】【課題】音響装置と、同一空間にある他の音響装置との同時再生による有効活用を可能とする。【解決手段】音響装置１０１は制御部１０４ａと通信部１０５ａと音源部１０６ａと音源選択部１０７ａとイコライザ部１０８ａを有する。音源同時利用要求命令１１２ａ，１１２ｂが音響装置１０２の命令入力部１０３に入力され、通信部１０５ｂを介して送信されると、音響装置１０１は通信部１０５ａを介して前記命令を受信する。音源選択部１０７ａ，１０７ｂは前記命令に応じてそれぞれ使用する音源部を選択するとともに、イコライザ部１０８ａ，１０８ｂは選択された音響信号を予め設定された音響信号利得に対応させて、増幅器１０９ａ，１０９ｂ、スピーカ１１０ａ，１１０ｂを介して同時に出力することにより、他の音響装置と同一の音源部を異なる音響信号利得で同時に再生するものである。【選択図】　　　　　図１
2004056678.tif 000002
【特許請求の範囲】
【請求項１】
音源部と
前記音源部と他の装置の音源部のうち、一の音源部を選択する音源選択部と
他の装置から命令を受ける通信部と
所定の周波数帯域毎に音響信号の利得を設定できるイコライザ部と
少なくとも前記音源選択部と前記イコライザ部とを制御する制御部と
を具備する音響装置において、
前記制御部は、前記通信部が前記命令として音源同時利用要求命令を受けたとき、前記音源選択部に前記音源同時利用要求命令が利用を要求する音源部を選択させるとともに、前記イコライザ部に周波数帯域毎の音響信号利得を予め定められた設定に対応させること
を特徴とする音響装置。
【請求項２】
前記音源同時利用要求命令が前記音響装置の有する音源部の利用を要求するものであるとき、
前記通信部は、前記音響装置の音源部からの音響信号を前記他の装置に送出するとともに、
前記制御部は、前記音源選択部に前記音源部を選択させるように制御することを特徴とする請求項１に記載の音響装置。
【請求項３】
前記音源同時利用要求命令が前記他の装置の音源部の利用を要求するものであるとき、
前記通信部は、前記他の装置の音源部からの音響信号を受けるとともに、
前記制御部は、前記音源選択部に前記通信部が受けた前記音源部からの音響信号を音源として選択させるように制御することを特徴とする請求項１に記載の音響装置。
【請求項４】
請求項１に記載の音響装置を具備した車両であって、
前記車両の車内空間が、音響装置を具備した家屋の空間と連接可能となることを特徴とする車両。
【発明の詳細な説明】
【０００１】
【発明の属する技術分野】
本発明は音響装置及び車両に関する。詳しくは、同一空間内における他の音響装置と有効な同時活用を図る音響装置、並びに前記共有空間の実現を図る車両に係るものである。
【０００２】
【従来の技術】
従来、複数の音響装置において、各々の音響装置が有する音源部や音声出力部はその音響装置自身だけで用いられていた。それが近年、通信技術の発達などにより、他の音響装置と音源部を共有することができる音響装置が見られるようになってきた。その一例として、特開２００２−１７１２１７号公報に開示された発明がある。
【０００３】
この特開２００２−１７１２１７号公報に開示された発明は、図８に示すように、車載用電子装置Ａと車載用電子装置Ｂからなり、各車載用電子装置Ａ，Ｂはそれぞれ音源部１と制御部２と通信部３とを備えており、いずれも前記制御部２に対して、前記音源部１と、かかる音源部１に対して送受信可能な通信部３が接続されている関係にある。
【０００４】
そして、各車載用電子装置Ａ，Ｂは、通信網４を介して情報の授受が可能なものであって相互に音源部１を共有して利用することができるようになっている。すなわち、車載用電子装置Ａは音源部１ａだけでなく音源部１ｂも利用でき、他方、車載用電子装置Ｂも音源部１ｂだけでなく音源部１ａも利用できるようになっている。
【０００５】
【発明が解決しようとする課題】
しかしながら、上述した車載用電子装置Ａ、Ｂでは、相互に音源部１に格納された音源の情報を共有することは可能だが、これらは別個の空間にあるものとして個別に利用されるにとどまり、複数の装置を同一空間で同時に有効利用するということまでは考慮されていないという問題があった。
【０００６】
本発明はかかる問題点の低減を図ることを目的としてなされたものである。
【０００７】
【課題を解決するための手段】
すなわち、請求項１に係る発明は、音源部と、音源選択部と、通信部と、イコライザ部と、制御部とを具備する音響装置を提供することにより上記課題を解決するものである。
【０００８】
ここで、前記音源選択部は複数の音源部を切り換えるとともに、他の装置から前記通信部を介して音源同時利用要求命令を受けたときに制御部により前記当する音源部を選択させられるように作用する。
【０００９】
また、前記イコライザ部は所定の周波数帯域毎に音源からの音響信号の利得を設定できるとともに、他の装置から前記通信部を介して音源同時利用要求命令を受けたときに制御部により周波数帯域毎の音響信号利得設定を選択された音源に対応させられるように作用する。
【００１０】
請求項２に係る発明は、音源部と、音源選択部と、通信部と、イコライザ部と、制御部とを具備する音響装置を提供することにより上記課題を解決するものである。
【００１１】
ここで、前記通信部は他の装置と通信できるとともに、他の装置からの音源同時利用要求命令を受け、かつ、その命令が前記音響装置内の音源部の利用を要求するものであるとき、前記音響装置内の音源部の情報を送出するように作用する。また、前記制御部は前記音響選択部と前記イコライザ部を制御するように作用する。
【００１２】
請求項３に係る発明は、音源部と、音源選択部と、通信部と、イコライザ部と、制御部とを具備する音響装置を提供することにより上記課題を解決するものである。
【００１３】
ここで、前記通信部は他の装置と通信できるとともに、他の装置からの音源同時利用要求命令を受け、かつ、その命令が他の装置の音源部の利用を要求するものであるとき、前記他の装置の音源部の情報を受信するように作用する。また、前記制御部は前記音響選択部と前記イコライザ部を制御するように作用する。
【００１４】
請求項４に係る発明は、請求項１の音響装置とそれを有する車両とを提供することにより、上記課題を解決するものである。
【００１５】
ここで、車両は、その車内空間と家屋の内部空間とを連接するとともに、音響装置を有するそれぞれの空間をして同一空間を形成せしめるように作用する。
【００１６】
【発明の実施の形態】
以下、本発明に係る実施の形態につき、図１及至図７を用いて説明する。
【００１７】
先に、本実施形態に係る音響装置１０１についての基本構成を説明すると、音響信号が記録された音源部１０６ａと、複数の音源部から一の音源部を選択する音源選択部１０７ａと、他の装置から命令を受ける通信部１０５ａと、所定の周波数帯域毎に音響信号の利得を設定できるイコライザ部１０８ａと、少なくとも前記音源選択部１０７ａと前記イコライザ部１０８ａとに接続され、これらを制御するようになっている制御部１０４ａとを具備することを必須要件とする。
【００１８】
さらに、音響装置１０１は音響信号を増幅させる増幅部としての増幅器１０９ａと、増幅された音響信号を音声として出力する出力部としてのスピーカ１１０ａとを備えてなるものである。
【００１９】
本実施形態では、音響装置１０１と、これとは別個の他の装置とで同一空間内で作用し合うことにより音源の共有が可能で、かつ、同時再生が可能な音響装置システムとして機能するものであり、かかる他の装置が複数あってこれらとの組み合わせにより実現させてもよいが、本実施形態においては、説明の便宜上、他の装置は音響装置１０２の１つのみとして以下説明する。
【００２０】
これら音響装置１０１と音響装置１０２は、同一空間内において音響の同時再生がなされればよいことから、少なくともその出力部であるスピーカ１１０ａ、１１０ｂが同一空間内に配設されていればよいものとする。
【００２１】
尚、音響装置１０１及び音響装置１０２はいずれも独立して機能することも可能である。
【００２２】
次に各構成要素の詳細な説明を図１を用いて説明する。
【００２３】
音源部１０６ａは、例えばハードディスクのような磁気記録装置であって、音響信号１１１ａが記録されているものである。前記音源部１０６ａは、制御部１０４ａと音源選択部１０７ａに接続され、制御部１０４ａにより音源選択部１０７ａに対して音響信号１１１ａを読み出されるようになっている。
【００２４】
尚、前記音源部１０６ａは、記録されている音響信号の読み出しができればよく、光記録再生ディスクや磁気記録再生ディスクなどの記録媒体であってもよい。これらを用いることで記録媒体の持ち運びが可能になり、交換も容易になるという利点がある。
【００２５】
音源選択部１０７ａは、共有可能な音源部１０６ａ、１０６ｂのいずれか一方の選択されたものに切り換えるスイッチ機構を備えていればよく、音源部１０６ａ、イコライザ部１０８ａ、通信部１０５ａ、制御部１０４ａにそれぞれ接続されている。前記音源選択部１０７ａは、制御部１０４ａにより、音源部１０６ａに由来する音響信号１１１ａ、又は通信部１０５ａを介して受信する音源部１０６ｂに由来する音響信号１１１ｂのいずれかをイコライザ部１０８ａに出力させられるようになっている。
【００２６】
イコライザ部１０８ａは、例えば周波数帯域毎に音響信号の利得を予め何通りかのパターンで設定できるイコライザ装置であって、音源選択部１０７ａ、制御部１０４ａ、増幅器１０９ａにそれぞれ接続され、制御部１０４ａにより音響信号の周波数特性を補正・変更させられるようになっている。
【００２７】
また、音源選択部１０７ａを介して入力された、音源部１０６ａに由来する音響信号１１１ａ又は音源部１０６ｂに由来する音響信号１１１ｂを、増幅器１０９ａへ出力するようになっている。
【００２８】
通信部１０５ａは、他の装置である音響装置１０２からの音源同時利用要求命令１１２ａ，１１２ｂの受信をするとともに、音響装置１０２との音響信号１１１ａ，１１１ｂの送受信を可能にするインターフェイスとして機能するものである。前記通信部１０５ａは音源選択部１０７ａと制御部１０４ａに接続され、音源選択部１０７ａとは音響信号１１１ａ，１１１ｂの送受信をし、制御部１０４ａには音源同時利用要求命令１１２ａ，１１２ｂの受信の有無を伝達できるようになっている。
【００２９】
なお、前記通信部１０５ａは他の装置と前記音響信号１１１ａ，１１１ｂの送受信や前記音源同時利用要求命令１１２ａ，１１２ｂの受信ができればよく、無線ＬＡＮ（Ｌｏｃａｌ　Ａｒｅａ　Ｎｅｔｗｏｒｋ）や赤外線通信などの通信手段であってもよい。また、複数の装置とのネットワークを考慮すれば、ＷＡＮ（Ｗｉｄｅ　Ａｒｅａ　Ｎｅｔｗｏｒｋ）やインターネット等の公衆回線に接続するようなものでもよい。
【００３０】
増幅器１０９ａは、例えばオーディオ用アンプであって、イコライザ部１０８ａとスピーカ１１０ａにそれぞれ接続され、前記イコライザ部１０８ａから出力された音響信号１１１ａ、１１１ｂを増幅し、スピーカ１１０ａに出力するようになっている。
【００３１】
スピーカ１１０ａは、例えばオーディオ用スピーカであって、増幅器１０９ａに接続され、この増幅器１０９ａから出力された音響信号１１１ａ、１１１ｂを音声として出力するようになっている。
【００３２】
制御部１０４ａは、例えばＣＰＵ（Ｃｅｎｔｒａｌ　Ｐｒｏｃｅｓｓｉｎｇ　Ｕｎｉｔ）であって、ＲＯＭ（Ｒｅａｄ　Ｏｎｌｙ　Ｍｅｍｏｒｙ）に記録されているプログラムやＲＡＭ（Ｒａｎｄｏｍ　Ａｃｃｅｓｓ　Ｍｅｍｏｒｙ）にロードされたプログラムにしたがって各所の処理、計算、条件判断、各デバイスへの制御などを行うものである。前記制御部１０４ａは、通信部１０５ａ、音源部１０６ａ、音源選択部１０７ａ、イコライザ部１０８ａにそれぞれ接続され、それらを適宜制御するようになっている。
【００３３】
尚、音響装置１０１は、例えばパーソナル・コンピュータのように音楽再生可能な情報処理装置であってもよく、その場合には前記音源選択部１０７ａ、前記イコライザ部１０８ａ、前記増幅器１０９ａはそれぞれと同等の効果を得るソフトウェアで代用してもよい。これにより各機能のアップグレードが容易になるという利点がある。
【００３４】
一方、他の装置である音響装置１０２の基本構成については、前記音響装置１０１と同様であるが、制御部１０４ｂに対して作用する命令入力部１０３をさらに備える点で異なる。
【００３５】
命令入力部１０３は、制御部１０４ｂに接続され、入力された命令を制御部１０４ｂに入力するようになっている。ここで、前記命令入力部１０３は、音響装置１０１の利用を要求する命令を入力できればよく、音響装置１０２の操作パネル、持ち運び容易なリモートコントローラ、前記命令を入力できる機能を有するパーソナル・コンピュータ、又はサーバであってもかまわない。すなわち、前記命令入力部１０３は音響装置１０２内にある必要はない。
【００３６】
なお、説明の便宜上、本実施形態では音響装置１０１及び音響装置１０２の各部の接続は有線であることを前提として説明しているが、無線の場合があってもよい。
【００３７】
次に、前記同一空間内において音源共有可能な音響装置システムの動作について、図２及至図４を用いて説明する。
【００３８】
まず、同一空間内において音源共有可能な音響装置１０１，１０２からなる音響装置システムで音源部１０６ａを同時に利用する際の動作図を図２に示す。
【００３９】
命令入力部１０３から制御部１０４ｂへ音源部１０６ａの音源同時利用要求命令１１２ａが入力される（ステップＳ２１０）。それにより制御部１０４ｂは通信部１０５ｂから音響装置１０１の通信部１０５ａへ音源部１０６ａの前記音源同時利用要求命令１１２ａを送信する（ステップＳ２２０）。
【００４０】
前記音源同時利用要求命令１１２ａを通信部１０５ａが受信する（ステップＳ２３０）ことにより、制御部１０４ａは音源選択部１０７ａに音源部１０６ａを選択させる（ステップＳ２４０）とともに、通信部１０５ａを介して音源部１０６ａに由来する音響信号１１１ａを音響装置１０２へ送出させる（ステップＳ２６０）。
【００４１】
音響装置１０２において、音源部１０６ａの前記音源同時利用要求命令１１２ａを送信した後（ステップＳ２２０）、制御部１０４ｂは音源選択部１０７ｂに音源部１０６ａを選択させる（ステップＳ２５０）とともに、通信部１０５ａから送信された前記音響信号１１１ａを通信部１０５ｂで受信させる（ステップＳ２７０）。
【００４２】
そして、音響装置１０１において選択された音源部１０６ａに由来する音響信号１１１ａをイコライザ部１０８ａにて周波数帯域毎の音響信号利得を予め定められた設定に変更した後対応させ（ステップＳ２８０）、音響装置１０１、１０２のそれぞれで増幅器１０９ａ、１０９ｂ、及びスピーカ１１０ａ、１１０ｂを経て音声として再生させられる（ステップＳ２９０、２９５）。
【００４３】
また、音響装置１０１、１０２からなる音響装置システムで音源部１０６ｂを同時に利用する際の動作図を図３に示す。
【００４４】
命令入力部１０３から制御部１０４ｂへ音源部１０６ｂの音源同時利用要求命令１１２ｂが入力される（ステップＳ１１０）。それにより制御部１０４ｂは通信部１０５ｂから音響装置１０１の通信部１０５ａへ音源部１０６ｂの前記音源同時利用要求命令１１２ｂを送信する（ステップＳ１２０）。
【００４５】
前記音源同時利用要求命令１１２ｂを通信部１０５ａが受信する（ステップＳ１３０）ことにより、制御部１０４ａは音源選択部１０７ａに音源部１０６ｂを選択させる（ステップＳ１４０）。音響装置１０２において、音源部１０６ｂの前記音源同時利用要求命令１１２ｂを送信後、制御部１０４ｂは音源選択部１０７ｂに音源部１０６ｂを選択させ　（ステップＳ１５０）、通信部１０５ｂを介して、音源部１０６ｂに由来する音響信号１１１ｂを音響装置１０２へ送出させる（ステップＳ１６０）。
【００４６】
音響装置１０１の通信部１０５ａは前記音響信号１１１ｂを受信（ステップＳ１７０）し、選択された音源部１０６ｂに由来する音響信号１１１ｂをイコライザ部１０８ａにて周波数帯域毎の音響信号利得を予め定められた設定に変更した後対応させ（ステップＳ１８０）、音響装置１０１、１０２のそれぞれで増幅器１０９ａ、１０９ｂ、及びスピーカ１１０ａ、１１０ｂを経て音声として再生させる（ステップＳ１９０、２００）。
【００４７】
さらに、図４に音響装置１０１の動作に主眼をおいたフローチャートを示す。
【００４８】
まず、命令入力部１０３又は音響装置の操作パネルなどから、音響装置１０１の利用を要求する命令が入力される（ステップＳ３１０）と、音響装置１０１の電源が入っているかを確認するための処理（ステップＳ３２０）が行われ、もしも電源が入っていなければ自動的に電源が入る（ステップＳ３３０）。
【００４９】
そして、音響装置１０１に入力された前記命令が音響装置１０２からの音源同時利用要求命令１１２ａ又は１１２ｂであるかの確認処理（ステップＳ３４０）が行われ、音源同時利用要求命令１１２ａ又は１１２ｂである場合は、それが音源部１０６ａの利用を要求するかの確認処理（ステップＳ３５０）を行う。それ以降は、音源部１０６ａが利用要求された場合は図２、音源部１０６ｂが利用要求された場合は図３に示した動作図のように処理される。
【００５０】
ここでもし音源同時利用要求命令１１２ａ、又は１１２ｂが入力されておらず、音響装置１０１を単独の音響装置として利用するための命令が入力された場合、音源選択部１０７ａは音源部１０６ａを選択させられ（ステップＳ３６０）、その後増幅器１０９ａ、スピーカ１１０ａを経て音声として再生させられる（ステップＳ３７０）。
【００５１】
尚、設計変更により、音響装置１０１における音源選択部１０７ａの設定を、音源同時利用がされないときは常に音源部１０６ａを選択することができるため、上述の音源選択部１０７ａに音源部１０６ａを選択させる処理（ステップＳ３６０）を省略することも可能である。
【００５２】
また、音源同時利用要求命令１１２ａが入力された場合に、音響装置１０１のイコライザ部１０８ａの設定を変更して対応させる処理（ステップＳ２８０）は、通信部１０５ａを介して前記音源同時利用要求命令１１２ａを受信する処理（ステップＳ２３０）の後、スピーカ１１０ａにて音源部１０６ａに由来する音響信号１１１ａが再生させられる処理（ステップＳ２９０）の前までの間ならいつ行ってもよい。
【００５３】
同様に、音源同時利用要求命令１１２ｂが入力された場合に、イコライザ部１０８ａの設定を変更して対応させる処理（ステップＳ１８０）についても、音響装置１０１が前記音源同時利用要求命令１１２ｂを受信（ステップＳ１３０）した後、スピーカ１１０ａにて音源部１０６ｂに由来する音響信号１１１ｂが再生させられる処理（ステップＳ１９０）の前までの間ならいつ行ってもよい。
【００５４】
ここで、イコライザ部１０８ａでの予め定められた周波数帯域毎の音響信号利得設定とは、同一空間内において音響装置１０１、１０２の配設された場所によって変わる音響効果について、望ましいものを得られるよう予め定めておくだけではなく、例えば音響装置１０１が持ち運び容易な装置であった場合には前記音源同時利用要求命令１１２ａ、１１２ｂを受けた際に音響装置１０１の位置を検出し、新しい設定を定めることもできる。
【００５５】
また、上記の動作説明では音源部１０６ａ、１０６ｂに由来する音響信号１１１ａ、１１１ｂを送受信する際に、リアルタイム処理によって同時再生することを前提としているが、例えばある程度の再生時間分だけの音響信号を常にメモリに保存しつつ、音源部１０６ａに由来する音響信号１１１ａの送受信をする処理（ステップＳ２６０、Ｓ２７０）、または音源部１０６ｂに由来する音響信号１１１ｂの送受信をする処理（ステップ　Ｓ１６０、Ｓ１７０）の後に、同時再生開始命令を音響装置１０１と音響装置１０２の間で送受信させて同時再生の同期を図るようにしたものであってもよい。
【００５６】
次に、本発明の第２実施形態としての車両につき、図５及び図６を用いて説明する。
【００５７】
上述のように、音響装置１０１は、音響装置１０２とともに同一空間で作用し合うようになしたものであるが、かかる同一空間は、異なる２つ以上の空間を一つに組み合わせることにより共有空間とするものであってもよく、かかる共有空間の適用例として、この第２実施形態では、車両５０１の車内空間と家屋５０２の室内空間を連結させるものである。
【００５８】
ここで、音響装置１０１は車両５０１に配設されており、車両５０１には連絡口５０４ａが設けられている。他方、音響装置１０２は家屋５０２に配設されており、家屋５０２には連絡口５０４ｂが設けられている。そして、車両５０１と家屋５０２は連絡部５０３を介して連接されるものとする。
【００５９】
この連絡部５０３は、例えばゴムのような弾性体であって、車両５０１と家屋５０２のそれぞれの内部空間を連絡口５０４ａ、５０５ｂを介して連接するものである。なお、連絡部５０３は、前記車両５０１との接触部分を弾性体にしておけば、車両５０１の外表面に傷をつけにくく、かつ、連接後完了後に形成された共有空間内の気密性を高めることができる。
【００６０】
なお、連絡部５０３は、種々の変形例が考えられ、例えば、接触部分のみならず接触部分から他端部分にかけての中間部位に弾性体を配設したようなものでもよく、この場合には車両５０１との連接時の緩衝作用が得られる。あるいは、車両５０１が家屋５０２の連絡口５０５ｂと離れた位置に駐車してしまった場合を考慮して、伸縮自在な蛇腹状の筒状通路のごときものでもよい。
【００６１】
家屋５０２は、音響装置１０２を設置した部屋と隣接する位置に車両５０１を駐車させるための駐車スペース５０６を設け、前記駐車スペース５０６の床部に停止した車両５０１を適宜搬送するための移送装置５０５が設けられている。
【００６２】
移送装置５０５は、例えば金属製のテーブルであって、その上で停止した車両５０１を、連絡部５０３に対して連絡可能位置まで移送させる機構を備えてなる。かかる移送機構は、例えば、ＸＹテーブルにより前後左右に可動させ、ターンテーブルにより回動させ、ジャッキ機構により上下動させる機構などが挙げられ、これらのいずれか、または適宜な組み合わせが考えられる。
【００６３】
なお、前記移送装置５０５は、溝や突起などにより前記車両５０１の車輪の動きを制限して前記連絡部５０３との連接が可能な所定の駐車位置へ車両５０１を誘導するガイドのような簡単な構成からなるものであってもよい。
【００６４】
車両５０１と家屋５０２が連絡部５０３を介して連接され、かつ、連絡口５０４ａ、５０４ｂを開けることにより車両５０１と家屋５０２のそれぞれの内部空間がつなげられ、音響装置１０１，１０２が同一空間内に配されることになる。
【００６５】
なお、前記命令入力部１０３は、連絡部５０３に車両５０１が連接されたことによって音響装置１０２に対して音源同時利用要求命令１１２ａ、１１２ｂを入力することが可能なものとすることが考えられる。
【００６６】
すなわち、前記命令入力部１０３は、車両５０１が家屋５０２に連結され共有空間を形成することを検知してから情報の授受が可能となるような構成とすることが考えられる。例えば、車両５０１の駐車と連結動作が完了したことを検知する検知センサを設け、かかる検知センサからの信号により前記命令入力部１０３が前期制御部１０４ｂに命令入力することを可能にするなどのごときものである。
【００６７】
なお、共有空間となった状態にならなければ、信号が届かないような仕組みとするものでもよく、例えば、信号の送信手段として赤外線を採用するという程度の簡易なものでもよい。
【００６８】
この第２実施形態によれば、家屋５０２内で音響装置１０２を使用する際、車両５０１と家屋５０２の内部空間をつなげることで、従来では乗車時以外では使用しなかった車両５０１に備えられた音響装置１０１を有効に活用することができる。すなわち、音響装置１０１、１０２が共有空間において再生させるべく選択した音源を使い、同時に再生することができるのである。
【００６９】
しかも、イコライザ部１０８ａにおいて設定される周波数帯域毎の音響信号利得を、例えば車両５０１の音響装置１０１から出力される音声の低音部を強調するようにすれば、家屋５０２内で人が再生された音声を聴いている場合に、かかる家屋５０２内にいる者に対して音響効果が比較的指向性のない低音域の周波数を強調させ、他方、家屋５０２内の音響装置１０２から出力される音声は通常のまま、あるいは高音域の周波数を強調させるようにすれば、全体としての音響効果を高めることができる。
【００７０】
次に、本発明の第３実施形態としての家屋につき、図７を用いて説明する。
【００７１】
この第３実施形態では、前記共有空間の適用例として、家屋５０２内の相隣接する第一の部屋７０１と第二の部屋７０２を連結させるものである。
【００７２】
音響装置１０２は第一の部屋７０１に配設され、他方、音響装置１０１は第二の部屋７０２に配設されているものとする。
【００７３】
そして、第一の部屋７０１と第二の部屋７０２は出入り口７０３を介してつながっている。すなわち、出入り口７０３を開放することにより、音響装置１０２、１０１がそれぞれ配設された第一の部屋７０１と第二の部屋７０２が共有空間となる。
【００７４】
この第３実施形態では、第一の部屋７０１で音響装置１０２を使用する際、従来では第二の部屋７０２でしか使用されなかった音響装置１０１をも同時に活用することができるという利点がある。
【００７５】
ここで、イコライザ部１０８ａにおいて設定される周波数帯域毎の音響信号利得は、例えば低音部を強調するようにすることで、第一の部屋７０１において、音響装置１０２のスピーカ１１０ｂから出力される音声の低音部が出入り口７０３から聴こえ、あたかも出入り口７０３が低音部専用のスピーカの役割を果たすことになる。
【００７６】
したがって、共有空間において、選択した音源からの音響信号を音響装置１０１，１０２で同時に再生することができ、かつ、人が再生された音声を聴いている第一の部屋７０１にいる者に対して音響装置１０１は音響効果が比較的指向性のない低音域の周波数を強調させ、他方、第二の部屋７０２内の音響装置１０２では通常のまま、あるいは高音域の周波数を強調させるようにすれば、全体としての音響効果を高めることもできる。
【００７７】
【発明の効果】
以上本発明によれば、音源部と、音源選択部と、通信部と、イコライザ部と、制御部とを具備する音響装置は、他の装置からの命令に応じて音源部の選択と音響信号の周波数帯域毎の利得設定の変更がなされることにより、同一空間内において他の装置と同一の音源部を異なる音響信号利得で同時に再生し、さらにはその同一空間を形成するために家屋と連接可能な車両に前記音響装置を設けることにより、他の音響装置との有効活用を実現するようになった。
【図面の簡単な説明】
【図１】本発明の実施の形態に係る音響装置を適用させた音響装置システムの構成を示すブロック図である。
【図２】本発明の実施の形態に係る音響装置を適用させた音響装置システムの動作図である。
【図３】本発明の実施の形態に係る音響装置を適用させた音響装置システムの動作図である。
【図４】本発明の実施の形態に係る音響装置の動作を示すフローチャートである。
【図５】本発明の実施の形態に係る車両を適用させた音響システムを示す正面図である。
【図６】本発明の実施の形態に係る車両を適用させた音響装置システムを示す平面図である。
【図７】本発明の実施の形態に係る家屋を適用させた音響装置システムを示す斜視図である。
【図８】従来の車載用電子装置システムの構成を示すブロック図である。
【符号の説明】
１０１，１０２・・・音響装置
１０３・・・命令入力部
１０４ａ，１０４ｂ・・・制御部
１０５ａ，１０５ｂ・・・通信部
１０６ａ，１０６ｂ・・・音源部
１０７ａ，１０７ｂ・・・音源選択部
１０８ａ，１０８ｂ・・・イコライザ部
１０９ａ，１０９ｂ・・・増幅器
１１０ａ，１１０ｂ・・・スピーカ
１１１ａ，１１１ｂ・・・音響信号
１１２ａ，１１２ｂ・・・音源同時利用要求命令
５０１・・・車両
５０２・・・家屋
５０３・・・連絡部
５０４ａ，５０４ｂ・・・連絡口
５０５・・・移送装置
５０６・・・駐車スペース
７０１・・・第一の部屋
７０２・・・第二の部屋
７０３・・・出入り口
８００ａ・・・車載用電子装置Ａ
８０２ｂ・・・車載用電子装置Ｂ
８０１，８０１ａ，８０１ｂ・・・音源部
８０２，８０２ａ，８０２ｂ・・・制御部
８０３，８０３ａ，８０３ｂ・・・通信部
８０４・・・通信網
【図１】
2004056678.tif 000003
【図２】
2004056678.tif 000004
【図３】
2004056678.tif 000005
【図４】
2004056678.tif 000006
【図５】
2004056678.tif 000007
【図６】
2004056678.tif 000008
【図７】
2004056678.tif 000009
【図８】
2004056678.tif 000010